(57)【特許請求の範囲】
【請求項１】
カラオケ装置の外寸法よりひとまわり大きな箱形ケースと、この箱形ケースの両側面に突設されたブラケットと、バスの内部構造部材に固定されるラック支持母体と、このラック支持母体と前記ブラケットとを機械的に結合して前記箱形ケース側の荷重を前記ラック支持母体に負担させる防振インシュレータと、前記箱形ケース内に収納された前記カラオケ装置の底面および両側面に当接するように前記箱形ケースに内装された防振パッドと、前記カラオケ装置を前記箱形ケース内部に固定する固定具と、前記カラオケ装置の商用電源入力端子につながる配線を前記箱形ケースの外部に引き出す電源配線と、前記カラオケ装置の音声出力端子および映像出力端子につながる配線を前記箱形ケースの外部に引き出す音声映像出力配線と、前記カラオケ装置のリモコン信号入力端子につながる配線を前記箱形ケースの外部に引き出すリモコン信号配線と、前記カラオケ装置の音声入力端子につながる配線を前記箱形ケースの外部に引き出す音声入力配線とを備えた車載ラック装置。
【請求項２】
請求項１において、前記箱形ケースの正面板は開閉可能であり、前記防振パッドと前記固定具が取り付けられた前記箱形ケースの底面板が、両側のスライドガイドに沿って、前記正面板が開放された前記箱形ケースの前面側に引き出し可能に構成された車載ラック装置。
【請求項３】
請求項１において、前記箱形ケースの外面部分に前記電源配線につながった電源切替スイッチが取り付けられ、バス搭載電源装置からの給電経路と商用電源からの給電経路とが前記スイッチにより切り替えられるように構成された車載ラック装置。
【請求項４】
請求項１において、偏平なほぼ直方体をなすワイヤレスマイク受信機を前記箱形ケースの上面板の真上において前記ラック支持母体に固定する構造を設けた車載ラック装置。
【発明の詳細な説明】
【０００１】
【発明の属する技術分野】
この発明は、カラオケ装置をバスに搭載するための車載ラック装置に関し、とくに、バスの客室空間から隔絶されたトランク空間などにカラオケ装置を車載するものに関する。
【０００２】
【発明の背景】
カラオケボックスやカラオケ酒場といった店舗に設置されているのと同じカラオケ装置を大型観光バスなどに搭載し、走行中にバスの乗客がカラオケを楽しめるようにするためには、たとえば以下に列挙するような技術的課題を解決しなければ、実使用に耐えうる便利なバス装備システムとはいえない。
▲１▼  カラオケ装置に実装されているハードディスク装置がバスの振動で誤動作しないようにすること。
▲２▼  バスの座席に座っている人がリモコンやマイクロホンでカラオケ操作を良好に行えるようにすること。
▲３▼  比較的大きなカラオケ装置がバスの客室乗員空間を圧迫しない設置レイアウトとすること。
▲４▼  バスのエンジンが運転されているときに、車載電源からカラオケ装置に給電するとともに、車載電源が使用できないときには手近な商用電源コンセントからカラオケ装置に給電できるようにすること。
【０００３】
【発明の開示】
前記したような技術的課題を解決するための構成として、この発明に係るカラオケ装置をバスに搭載するための車載ラック装置では、基本的に、カラオケ装置の外寸法よりひとまわり大きな箱形ケースと、この箱形ケースの両側面に突設されたブラケットと、バスの内部構造部材に固定されるラック支持母体と、このラック支持母体と前記ブラケットとを機械的に結合して前記箱形ケース側の荷重を前記ラック支持母体に負担させる防振インシュレータと、前記箱形ケース内に収納された前記カラオケ装置の底面および両側面に当接するように前記箱形ケースに内装された防振パッドと、前記カラオケ装置を前記箱形ケース内部に固定する固定具と、前記カラオケ装置の商用電源入力端子につながる配線を前記箱形ケースの外部に引き出す電源配線と、前記カラオケ装置の音声出力端子および映像出力端子につながる配線を前記箱形ケースの外部に引き出す音声映像出力配線と、前記カラオケ装置のリモコン信号入力端子につながる配線を前記箱形ケースの外部に引き出すリモコン信号配線と、前記カラオケ装置の音声入力端子につながる配線を前記箱形ケースの外部に引き出す音声入力配線とを備えることとした。
【０００４】
以上の基本的な構成に加えて、この発明では、つぎのような構成を採りうるものである。
（１）前記箱形ケースの正面板は開閉可能であり、前記防振パッドと前記固定具が取り付けられた前記箱形ケースの底面板が、両側のスライドガイドに沿って、前記正面板が開放された前記箱形ケースの前面側に引き出し可能に構成されている。
（２）前記箱形ケースの外面部分に前記電源配線につながった電源切替スイッチが取り付けられ、バス搭載電源装置からの給電経路と商用電源からの給電経路とが前記スイッチにより切り替えられるように構成されている。
（３）偏平なほぼ直方体をなすワイヤレスマイク受信機を前記箱形ケースの上面板の真上において前記ラック支持母体に固定する構造を設ける。
【０００５】
【発明の実施の形態】
この発明の一実施例による車載ラック装置の構造を図１〜図５に示している。箱形ケース１は、比較的厚いパーティクルボード製のほぼ直方体でほぼ閉塞構造であり、横幅と奥行きが５０ｃｍ程度で高さが２０ｃｍ程度の外寸である。箱形ケース１の内寸はカラオケ装置２の外寸より一回り大きく、ケース１内にカラオケ装置２がすっぽりと収納される。
【０００６】
バスの内部構造部材に固定されるラック支持母体３は、この実施例においては２本の溝型鋼材からなり、箱形ケース１のほぼ幅分だけ間隔をあけて水平かつ平行に固定されている。
箱形ケース１の左右両側面にそれぞれ２個のブラケット４が突設されている。合計４個のブラケット４に対応する配置になるように、ラック支持母体３にも合計４個の支点ブラケット５が固着されている。
各支点ブラケット５は各ブラケット４の真下に位置し、その両者間に防振インシュレータ６が挟み込まれて両者が機械的に結合されており、箱形ケース１側の荷重が４個の防振インシュレータ６を介してラック支持母体３の支点ブラケット５に支えられる。
【０００７】
箱形ケース１の底面板の上面には底面防振パッド７が取り付けられているとともに、側部金具８が固定されている。側部金具８の片面には側面防振パッド９が取り付けられており、この側面防振パッド９は箱形ケース１の左右両側面のすぐ内側に位置している。
箱形ケース１内に収納されたカラオケ装置２の底面と両側面が防振パッド７と９に当接する。また側部金具８には、上方に伸びた固定具１０も取り付けられている。この固定具１０は、箱形ケース１内に位置決めされたカラオケ装置２の側部から上部に圧接して、カラオケ装置２をしっかりとケース底面板に押さえつけて固定する。
【０００８】
箱形ケース１の正面は、正面板を取り外すことで開放することができる。図５は開放状態を示している。通常時は、箱形ケース１の正面開口を正面板で閉鎖し、両側部にあるクランプ３１で固定しておく。
【０００９】
前述したように箱形ケース１の底面板１ａには底面防振パッド７・側部金具８・側面防振パッド９・固定具１０が取り付けられており、このケース底面板１ａの上にカラオケ装置２が載置固定されている。ケース底面板１ａは、両側のスライドガイドに沿って、開放状態の箱形ケース１側に正面側に引き出し可能に構成されている。この引き出し状態にてカラオケ装置２をケース底面板１ａに載置固定したり、後述のコネクタ接続・配線作業などを行う。
【００１０】
図５に示すように、カラオケ装置２の右側面には放熱用の換気ファンの吸気口１１がある。箱形ケース１の右側面には、収納状態のカラオケ装置２の吸気口１１に対面する吸気口１２が形成されいてる。吸気口１２にはフィルタがついており、チリなどを吸い込まないようになっている。また、この吸気口１２は、箱形ケース１の内側にスライド式の開閉扉が設けられ、外気温に合わせて開閉できるようになっている。外気温が低すぎる場合は閉めておき１０℃程度以上ならば開けるようにしている。さらに、カラオケ装置２の背面には換気ファンの排気口がある。箱形ケース１の背面板には、収納状態のカラオケ装置２の排気口に対面する排気口３０が形成されている。
【００１１】
この実施例においては、上述の車載ラック装置を用いてカラオケ装置２をバスに搭載し、図６と図７に示すような配線システムによってカラオケ装置２を運用することとする。
カラオケ装置２は、一般の商用電源コンセントからの１００ボルト交流電源を受けて動作する。バスにはインバータ１３があり、バッテリ１４からの直流２４ボルト電源を交流１００ボルト電源に変換し、これをカラオケ装置２の電源として利用する。
【００１２】
箱形ケース１の左側面には、カラオケ装置２の商用電源入力端子からの電源配線が接続された電源切替スイッチ１５が取り付けられている。電源切替スイッチ１５は、インバータ１３の交流電源をカラオケ装置２に供給するか、別の交流電源（通常は商用電源コンセントから取り入れる電源）をカラオケ装置２に供給するのかを切り替えるためのスイッチである。
【００１３】
通常のバス運行時にはインバータ１３の出力でカラオケ装置２を動作させる。バスが車庫に入って運行停止しているときに、カラオケ装置２の保守点検やデータベース更新などを行う場合に、車庫の商用電源コンセントに接続した電源コードを電源切替スイッチ１５の外部電源コード１６につなぎ、カラオケ装置２に電源を供給する。なお、電源切替スイッチ１５からは分電コード１６ａも引き出されており、カラオケ装置２の保守点検するための保守端末（ノート型の専用コンピュータ）の電源コードを分電コード１６ａに接続すれば、外部電源コード１６の電源を保守端末にも供給できる。
【００１４】
カラオケ装置２の音声出力端子および映像出力端子につながる配線を箱形ケース１の外部に引き出す音声出力配線１７および映像出力配線１８がある。音声出力配線１７は、バスの客室乗員スペースに実装されているオーディオシステムのアンプ１９に接続される。映像出力配線１８は、バスの客室乗員スペースに実装されているビデオモニタ装置２０に接続される。
【００１５】
カラオケ装置２のリモコン信号入力端子につながる配線を箱形ケース１の外部に引き出すリモコン信号配線２１がある。バスの客室乗員スペースにはリモコン受光部２２が設置されており、これにリモコン信号配線２１が接続される。
【００１６】
カラオケ装置２の音声入力端子につながる配線を箱形ケース１の外部に引き出す音声入力配線２３がある。音声入力配線２３はワイヤレスマイク受信機２４の音声出力端子に接続されている。ワイヤレスマイク受信機２４は偏平なほぼ直方体をなす外形で、箱形ケース１の上面板の真上においてラック支持母体３に固定されている。バスの客室乗員スペースに実装されたワイヤレス受光部２５がワイヤレスマイク受信機２４に接続されている。
【００１７】
カラオケ装置２の電話回線接続端子（モジュラー端子）につながる配線を箱形ケース１の外部に引き出す通信配線２６もある。カラオケ装置２を通信カラオケホスト装置に接続してカラオケデータベースを更新するような場合には、バスを車庫におき、車庫から引っ張ってきた電話線を通信配線２６に接続する。
【００１８】
【発明の効果】
この発明に係る車載ラック装置をバスの客室乗員スペースとは異なるトランクルームなどに据え付け、バスの客室乗員スペースに設置されている映像音響設備を利用し、リモコン予約器とリモコンマイクを利用してカラオケを楽しむことができ、スペースの有効利用が図れる。防振インシュレータおよび防振パッドで厳重に防振対策を施したので、バスが激しい振動してもカラオケ装置のハードディスクなどが誤動作することを防ぐことができる。
【図面の簡単な説明】
【図１】この発明の一実施例による車載ラック装置の正面断面図である。
【図２】同上装置の平面断面図である。
【図３】同上装置の側面断面図である。
【図４】同上装置の側面図である。
【図５】同上装置の斜視図である。
【図６】同上装置を用いたカラオケシステムの配線系統図である。
【図７】同上装置の電源切替系統図である。
【符号の説明】
１  箱形ケース
２  カラオケ装置
３  ラック支持母体
４  ブラケット
５  支点ブラケット
６  防振インシュレータ
７  底面防振パッド
８  側面防振パッド
９  固定具
【図１】
0003631731.tif 000002
【図２】
0003631731.tif 000003
【図３】
0003631731.tif 000004
【図４】
0003631731.tif 000005
【図５】
0003631731.tif 000006
【図６】
0003631731.tif 000007
【図７】
0003631731.tif 000008